(57)【要約】      （修正有）【課題】従来筆記具をポケット等に挿着すると筆記具の最後端部がポケットから突出し保管上不便であった。また、クリップには係止突起が設けられているため筆記具が全体として分厚くなり手帳やノートに保管するのが不便であった。この不便さを解消するため極薄のクリップで係止突起を有しない無突起鈎型クリップとその筆記具への取り付け方を提供する。【解決手段】係止突起（３）を有せず、厚さが５ｍｍ以内の無突起鈎型クリップ（１３）を形成する。無突起鈎型クリップ（１３）の上端が筆記具（１）の最後端部（７）より上にくるように取り付ける。このことによりこの筆記具（１）に挿着しても筆記具（１）の最後端部（７）が装着した手帳（２３）の上端から上に突出せず、引っかかったり落ちたりしない。また全体の厚さも数ミリ程度と薄くなるので手帳の「書きたいページ（２６）」にしおりのように装着できる。【選択図】図６
2016159516.tif 000002
【特許請求の範囲】
【請求項１】
ポケットや手帳等に挿着した筆記具の後端部がポケットや手帳等から突出しないように係止突起を有しないクリップを筆記具に取り付けたことを特徴とする、筆記具用クリップの形状およびクリップの取り付け構造。
【請求項２】
筆記具をボールペン、シャープペン、マーキングペン、万年筆のいずれかにしたことを特徴とする請求項１に記載の、筆記具用クリップの形状およびクリップの取り付け構造。
【発明の詳細な説明】
【技術分野】
【０００１】
本発明は、筆記具用クリップの形状およびクリップの取り付け構造に関するものである。
【背景技術】
【０００２】
ボールペン等の筆記具（１）には、一般には後端部（７）にクリップが取り付けられ、ポケットや手帳等に挿着して携帯しやすいようになっている。そのクリップは筆記具の本体軸やキャップ等の筒体の後端部（７）に取り付けられ、クリップ前端部（１６）には係止突起（３）が設けられ、筆記具（１）の表面（２）に向けて付勢されている。
【０００３】
図１（Ａ）は鉤状に湾曲した部分を有するクリップ（以後「湾曲クリップ（４）」という）の斜視図であり、図１（Ｂ）はその斜視図の右側面図である。
また、図２（Ａ）はローマ字の「Ｌ」を逆さまにしたような形状のもの（以後「Ｌ字クリップ（５）」という）の斜視図であり、図２（Ｂ）はその斜視図の右側面図である。
以後本論においては上記のように側面視した状態から見て各部の取り付け位置関係等を、「上、下、左、右」と記すことにする。
【０００４】
クリップの形状としては、図１の湾曲クリップ（４）」や、図２のＬ字クリップ（５）や、図は省略するが棒状のものなどが一般的である。
また、クリップの筆記具（１）への取り付け方は、湾曲クリップ（４）を筆記具（１）と一体形成する方法や、筆記具（１）とクリップを別々に形成し適当な手段を介してクリップを筆記具（１）に固着させる方法など様々な方法がとられている。
さらに素材に関しては金属や合成樹脂を用いその弾性変形を利用したり、バネを利用したりしている。
【０００５】
さて、現状技術におけるクリップの筆記具（１）やキャップ等への取り付け構造でもある取り付け位置とクリップの構造について述べる。なお、以下においては筆記具（１）本体への取り付け構造についてのみ述べ、キャップ等については省略する。
（１）クリップの筆記具（１）への取り付け位置について。
（ア）湾曲クリップ（４）においては、図１（Ａ）の斜視図や図１（Ｂ）の側面図に見るように筆記具（１）の後端部（７）がクリップの湾曲した部分の内縁部であるクリップ湾曲部内縁頂点（１４）よりも上方にくるように取り付けられている。
（イ）Ｌ字クリップ（５）においても、図２（Ａ）の斜視図や図２（Ｂ）の側面図に見るように筆記具（１）の後端部（７）がＬ字の短辺部（１７）の内側である短辺部内縁（１８）よりも上方にくるように取り付けられている。
以後このような取り付け構造を「筆記具（１）の後端部（７）が上になっている」という。
（２）クリップの筆記具（１）の構造としての係止突起（３）について
現状の湾曲クリップ（４）やＬ字クリップ（５）あるいは図は省略するが棒状のクリップにおいては、湾曲クリップ（４）では図１（Ｂ）に、Ｌ字クリップにおいては図２（Ｂ）に見るようにクリップの曲点（２５）からクリップ前端部（１６）までのクリップ長辺（２８）が筆記具（１）の表面（２）と平行もしくは略平行（以後単に「平行」という）になるように形成されている。そしてクリップ前端部（１６）には係止突起（３）が設けられて、この係止突起（３）の先端部が筆記具（１）の表面（２）と接し、クリップの弾性力を高め付勢力が付くようになっている。
【先行技術文献】
【特許文献】
【０００６】
【特許文献１】特開２００５−２３１３１７号公報
【発明の概要】
【発明が解決しようとする課題】
【０００７】
従来のクリップは筆記具の後端部がクリップより上になるように取り付けられているため、筆記具を手帳やポケットなどに挿着した時、筆記具の後端部が手帳やポケットから上方向に突き出てしまうため、筆記具が絡まったり落ちたりして、保管上不便であった。
また、係止突起を有しているため、筆記具を手帳やポケットなどに挿着したり取出すには有効（便利）であるが、筆記具全体としては分厚いものになってしまい、特に手帳やノートなどの表紙の裏面でではなく、予定等を記入する本文に挿着すると手帳やノート等が全体として分厚くなり、また上記のような上方突出しによる不便さがあった。
上記先行特許文献においてもクリップの付勢力を強める観点からの技術を主張したものであり、係止突起を設けないクリップの形状や上方に突出しない取り付け方法という取り付け構造を論じた先行技術はみあたらない。
本発明は上記のような問題点を解決しようとするものである。
【課題を解決するための手段】
【０００８】
本発明は、上記のような不便さを解決するために以下のような手段を提供する。
【０００９】
手段１：湾曲セブンクリップの形成と筆記具への取り付け構造
Ｓ１−１：湾曲セブンクリップの形成
（１）クリップを「７」という文字を左右逆にしかつ鉤状に湾曲させた形状に形成し、湾曲セブンクリップとする。図３（Ａ）はその斜視図であり、（Ｂ）は右側面図である。
（２）湾曲セブンクリップは係止突起を有せず、鉤状に湾曲した部分である曲点からクリップ前端部にかけての部分をクリップ長辺とし、そのクリップ長辺は曲点から筆記具の表面方向へ伸び、クリップ前端部が筆記具の表面に接するように形成する。
Ｓ１−２：湾曲セブンクリップの筆記具への取り付け構造
（１）湾曲セブンクリップを筆記具に取り付けるについては、図３（Ａ）やその側面図である図３（Ｂ）に見るように、湾曲部の湾曲した部分の頂点の内側である湾曲部内縁頂点が筆記具の後端部と同位置もしくは後端部より上に突き出る構造で取り付ける。
（２）取り付け方法に関しては図３（Ａ）に見るように直接筆記具に取り付けてもよく、また図５（Ｄ）に見るように固着台を経由して取り付けてもよい。あるいは筆記具と湾曲セブンクリップを上記の構造で一体形成してもよい。
【００１０】
手段２：セブンクリップの形成と筆記具への取り付け構造
Ｓ２−１：セブンクリップの形成
（１）クリップを「７」という文字を左右逆にした形状に形成し、セブンクリップとする。図４（Ａ）はその斜視図であり、（Ｂ）はその右側面図である。
（２）文字「７」の第一画目の横棒である短辺部から左下へ折れ下がる折れ点を曲点とする。
さて、セブンクリップは係止突起を有せず、曲点からクリップ前端部にかけての部分をクリップ長辺とし、そのクリップ長辺は曲点から筆記具の表面方向へ伸び、クリップ前端部が筆記具の表面に接するように形成する。
Ｓ２−２：セブンクリップの筆記具への取り付け構造
（１）セブンクリップを筆記具に取り付けるについては、図４（Ａ）やその側面図である図４（Ｂ）に見るように、短辺部の内側である短辺部内縁が筆記具の後端部と同位置もしくは後端部より上に突き出る構造で取り付ける。
（２）取り付け方法は図４（Ａ）に見るように固着台を経由して筆記具に取り付ける。また図５（Ｂ）に見るようにキャップに固着台を経由して取り付けてもよい。図４（Ｃ）はノック式筆記具のノック部の後端部に固着リングを経由して取り付けた状況を示す側面図である。あるいは筆記具とセブンクリップを上記の構造で筆記具やキャップと一体形成してもよい。
【００１１】
手段３：極薄クリップを取り付けた扁平筆記具の形成
Ｓ３−１：極薄クリップを取り付けた扁平筆記具の形成
（１）極薄クリップを取り付けた扁平筆記具は主に手帳やノートブック等の表紙の裏面でではなく、予定等を記入する本文にに挿着して使用するケースを想定したものである。
（２）湾曲セブンクリップもしくはセブンクリップ状に形成しその横方向の幅を５ｍｍ以上とする極薄クリップを、上記Ｓ１−２もしくはＳ２−２と同様の構造で扁平筆記具に取り付け、クリップと扁平筆記具を合わせた厚さを７ｍｍ以内で形成する。
（３）ただし、扁平筆記具の横方向の幅は１０ｍｍ以上とするが縦方向の長さは特定しない。
（４）図６（Ａ）は湾曲セブンクリップ型のリード部を有しない極薄クリップの斜視図である。また図６（Ｂ）はリード部を有する極薄クリップの斜視図である。
極薄クリップを扁平筆記具に取り付けた後、手帳等の挿着する場合に、リード部を設けておくと装着がスムーズになる、つまり挿着時に引っかからないようにするためであるが、リード部を設けることは必須ではない。以下においてはリード部を有する極薄クリップについて述べるが、リード部を有しないケースにおいても同様であるため記述は省略する。
（５）リード部を有する極薄クリップと扁平筆記具を別々に形成した後、極薄クリップに極薄クリップを固着させた状況を示す斜視図が図７（Ａ）である。図７（Ｂ）はその右側面図であり、図７（Ｃ）は左側面図である。
（６）図８（Ａ）はボールペン等の芯軸を側面に設けた扁平筆記具にリード部を有する極薄クリップを取り付けた状況を示す斜視図である。図８（Ｂ）はその右側面図であり、図８（Ｃ）は左側面図である。なお、芯軸用のキャップは図上では省略している。
（７）なお、湾曲セブンクリップ型の極薄クリップについて述べているがセブンクリップ型においても同様であるため、セブンクリップ型のケースについては記述を省略する。
（８）上記では極薄クリップと扁平筆記具を別々に形成し、扁平筆記具に極薄クリップを取り付けるケースを想定して述べてきたが、極薄クリップと扁平筆記具を一体形成してもよい。ただし取り付け構造は上記Ｓ１−２もしくはＳ２−２と同様にするものとする。
【発明の効果】
【００１２】
従来のクリップは係止突起（３）を有しているため筆記具本体とクリップを合わせると分厚いものになり、薄手の手帳やノートブックなどの表紙の裏面でではなく、予定等を記入する本文にには挿着しづらかった。
本発明により、湾曲部内縁頂点（１４）あるいは短辺内縁部（１８）が筆記具（１）の後端部（７）
より上に突き出る構造でクリップを筆記具（１）に取り付けたため、例えば筆記具（１）をポケットに挿着した場合、ポケットの上端は湾曲部内縁頂点（１４）あるいは短辺内縁部（１８）まで挿着されるので、筆記具（１）の後端部（７）はポケットの内部に収まる。すなわち筆記具（１）の上端部（７）がポケットから上方向に突き出なくなるため、筆記具が絡まったり落ちたりする従来の保管上の不便さが解消される。
また、手帳（２３）やノートブックなど比較的薄手のものの本文に挿着する場合においては以下のような効果がある。
（１）従来手帳（２３）やノートに筆記具（１）を挿着して保管する場合は、本文とは別のところに保管していた。その理由は図１０（Ａ）に示すように手帳（２３）が手帳（２３）と筆記具（１）のトータルとしての厚みが保管に耐えられないくらい厚くなって使用に耐え得なくなってしまうからである。
（２）本発明では、トータルの厚さを７ｍｍ以内としているため、手帳（２３）やノートの本文に挿
着しても図１０（Ｂ）に見るように（扁平）筆記具（２０）を装着していることをほとんど感
じない
（３）図８（Ａ）はノック式の扁平筆記具（２０）を手帳の本文に装着し状況の上面図である。また図８（Ｂ）は右側面図である。各図からもわかるように扁平筆記具（２０）の後端部（７）は手帳（１）の上端であるページエッジ（３０）から突出することはなく、保管上紛失したり引っかかったりする不便さはない。
【図面の簡単な説明】
【００１３】
【図１】湾曲クリップの従来の形状と取り付け位置を示す図で、（Ａ）は斜視図、（Ｂ）は右側面図。
【図２】Ｌ字クリップの従来の形状と取り付け位置を示す図で、（Ａ）は斜視図、（Ｂ）は右側面図。
【図３】本発明の一部を示す湾曲クリップの形状と取り付け位置を示す図で、（Ａ）は斜視図、（Ｂ）は右側面図。
【図４】本発明の一部を示すＬ字クリップの形状と取り付け位置を示す図で、（Ａ）は斜視図、（Ｂ）は右側面図。
【図５】図（Ａ）は本発明の一部を示すセブンクリップを筆記具に取り付けた状況を示す側面図、図（Ｂ）は本発明の一部を示すセブンクリップをキャップに取り付けた状況を示す側面図、図（Ｃ）は本発明の一部を示すセブンクリップをノック式筆記具に取り付けた側面図、図（Ｄ）は本発明の一部を示す湾曲セブンクリップを筆記具に取り付けた状況を示す側面図。
【図６】本発明の一部を示す扁平クリップを示す斜視図で、（Ａ）はリード部を有しない扁平クリップで、（Ｂ）はリード部を有する扁平クリップ。
【図７】図（Ａ）は本発明の一部を示す扁平クリップをノック式の扁平手帳に取り付けた状況を示す斜視図、図（Ｂ）はその右側面図、図（Ｃ）はその左側面図。
【図８】図（Ａ）は本発明の一部を示す扁平クリップを扁平手帳に取り付けた状況を示す斜視図、図（Ｂ）はその右側面図、図（Ｃ）はその左側面図。
【図９】図（Ａ）は本発明の一部である扁平クリップを取り付けたノック型扁平筆記具を手帳のあるページに挿着した状況を示す平面図、図（Ｂ）はその右側面図。
【図１０】図（Ａ）は手帳のページ部分に従来の湾曲クリップを取り付けた筆記具を挿着した状況を示す手帳の上面図、図（Ｂ）は手帳のページ部分に本発明の一部である扁平クリップを取り付けた扁平筆記具を挿着した状況を示す手帳の上面図本発明の一部である扁平筆記具を
【発明を実施するための形態】
【００１４】
本発明は、以下のようにじっしする。
【実施例１】
【００１５】
実施例１：湾曲セブンクリップ（２６）の形成と筆記具（１）への取り付け構造
Ｊ１−１：湾曲セブンクリップ（２６）の形成
（１）クリップを「７」という文字を左右逆にしかつ鉤状に湾曲させた形状に形成し、湾曲セブンクリップ（２６）とする。図３（Ａ）はその斜視図であり、（Ｂ）は右側面図である。
（２）湾曲セブンクリップ（２６）は係止突起（３）を有せず、鉤状に湾曲した部分である曲点（２５）からクリップ前端部（１６）にかけての部分をクリップ長辺（２８）とし、そのクリップ長辺（２８）は曲点（２５）から筆記具（１）の表面（２）方向へ伸び、クリップ前端部（１６）が筆記具（１）の表面（２）に接するように形成する。
Ｊ１−２：湾曲セブンクリップ（２６）の筆記具（１）への取り付け構造
（１）湾曲セブンクリップを筆記具（１）に取り付けるについては、図３（Ａ）やその側面図である図３（Ｂ）に見るように、湾曲部（２４）の湾曲した部分の頂点の内側である湾曲部内縁頂点（１４）が筆記具（１）の後端部（７）と同位置もしくは後端部（７）より上に突き出る構造で取り付ける。
（２）取り付け方法に関しては図３（Ａ）に見るように直接筆記具（１）に取り付けてもよく、また図５（Ｄ）に見るように固着台（９）を経由して取り付けてもよい。あるいは筆記具（１）と湾曲セブンクリップ（２６）を上記の構造で一体形成してもよい。
Ｊ１−３：作用と効果
湾曲部内縁頂点（１４）が筆記具（１）の後端部（７）より上に突き出る構造でクリップを筆記具（１）に取り付けたため、例えば筆記具（１）をポケットに挿着した場合、ポケットの上端は湾曲部内縁頂点（１４）まで挿着されるので、筆記具（１）の後端部（７）はポケットの内部に収まる。すなわち筆記具（１）の上端部（７）がポケットから上方向に突き出なくなるため、筆記具が絡まったり落ちたりする従来の保管上の不便さが解消される。
【実施例２】
【００１６】
実施例２：セブンクリップ（２７）の形成と筆記具（１）への取り付け構造
Ｊ２−１：セブンクリップ（２７）の形成
（１）クリップを「７」という文字を左右逆にした形状に形成し、セブンクリップ（２７）とする。図４（Ａ）はその斜視図であり、（Ｂ）はその右側面図である。
（２）文字「７」の第一画目の横棒である短辺部（１７）から左下へ折れ下がる折れ点を曲点（２５）とする。
さて、セブンクリップ（２７）は係止突起（３）を有せず、曲点（２５）からクリップ前端部（１６）にかけての部分をクリップ長辺（２８）とし、そのクリップ長辺（２８）は曲点（２５）から筆記具（１）の表面（２）方向へ伸び、クリップ前端部（１６）が筆記具（１）の表面（２）に接するように形成する。
Ｊ２−２：セブンクリップ（２７）の筆記具（１）への取り付け構造
（１）セブンクリップを筆記具（１）に取り付けるについては、図４（Ａ）やその側面図である図４（Ｂ）に見るように、短辺部（１７）の内側である短辺部内縁（１８）が筆記具（１）の後端部（７）と同位置もしくは後端部（７）より上に突き出る構造で取り付ける。
（２）取り付け方法は図４（Ａ）に見るように固着台（９）を経由して筆記具（１）に取り付ける。また図５（Ｂ）に見るようにキャップ（１１）に固着台（９）を経由して取り付けてもよい。図４（Ｃ）はノック式筆記具のノック部（１２）の後端部（７）に固着リング（８）を経由して取り付けた状況を示す側面図である。あるいは筆記具（１）とセブンクリップ（２７）を上記の構造で筆記具（１）やキャップ（１１）と一体形成してもよい。
Ｊ２−３：作用と効果
短辺内縁部（１８）が筆記具（１）の後端部（７）より上に突き出る構造でクリップを筆記具（１）
に取り付けたため、例えば筆記具（１）をポケットに挿着した場合、ポケットの上端は短辺内縁
部（１８）まで挿着されるので、筆記具（１）の後端部（７）はポケットの内部に収まる。す
なわち筆記具（１）の上端部（７）がポケットから上方向に突き出なくなるため、筆記具が絡ま
ったり落ちたりする従来の保管上の不便さが解消される。
【実施例３】
【００１７】
実施例３：極薄クリップ（１３）を取り付けた扁平筆記具（２０）の形成
Ｊ３−１：極薄クリップ（１３）を取り付けた扁平筆記具（２０）の形成
（１）極薄クリップ（１３）を取り付けた扁平筆記具（２０）は主に手帳（２３）やノートブック等に挿着して使用するケースを想定したものである。
（２）湾曲セブンクリップ（２６）もしくはセブンクリップ（２７）状に形成しその横方向の幅を５ｍｍ以上とする極薄クリップ（１３）を、上記Ｊ１−２もしくはＪ２−２と同様の構造で扁平筆記具（２０）に取り付け、クリップと扁平筆記具（２０）を合わせた厚さを７ｍｍ以内で形成する。
（３）ただし、扁平筆記具（２０）の横方向の幅は１０ｍｍ以上とするが縦方向の長さは特定しない。
（４）図６（Ａ）は湾曲セブンクリップ（２６）型のリード部（１５）を有しない極薄クリップ（１３）の斜視図である。また図６（Ｂ）はリード部（１５）を有する極薄クリップ（１３）の斜視図である。
極薄クリップ（１３）を扁平筆記具（２０）に取り付けた後、手帳（２３）等の挿着する場合に、リード部（１３）を設けておくと装着がスムーズになる、つまり挿着時に引っかからないようにするためであるが、リード部（１５）を設けることは必須ではない。以下においてはリード部（１５）を有する極薄クリップ（１３）について述べるが、リード部（１５）を有しないケースにおいても同様であるため記述は省略する。
（５）リード部（１５）を有する極薄クリップ（１３）と扁平筆記具（２０）を別々に形成した後、極薄クリップ（１３）に極薄クリップ（１３）を固着させた状況を示す斜視図が図７（Ａ）である。図７（Ｂ）はその右側面図であり、図７（Ｃ）は左側面図である。
（６）図８（Ａ）はボールペン等の芯軸（２２）を側面に設けた扁平筆記具（２０）にリード部（１５）を有する極薄クリップ（１３）を取り付けた状況を示す斜視図である。図８（Ｂ）はその右側面図であり、図８（Ｃ）は左側面図である。なお、芯軸（２２）用のキャップは図上では省略している。
（７）なお、湾曲セブンクリップ（２６）型の極薄クリップ（１３）について述べているがセブンクリップ（２７）型においても同様であるため、セブンクリップ（２７）型のケースについては記述を省略する。
（８）上記では極薄クリップ（１３）と扁平筆記具（２０）を別々に形成し、扁平筆記具（２０）に極薄クリップ（１３）を取り付けるケースを想定して述べてきたが、極薄クリップ（１３）と扁平筆記具（２０）を一体形成してもよい。ただし取り付け構造は上記記Ｊ１−２もしくはＪ２−２と同様にするものとする。
Ｊ３−２：作用と効果
（１）従来手帳（２３）やノートに筆記具（１）を挿着して保管する場合は、本文とは別のところに保管していた。その理由は図１０（Ａ）に示すように手帳（２３）が手帳（２３）と筆記具（１）のトータルとしての厚みが保管に耐えられないくらい厚くなって使用に耐え得なくなってしまうからである。
（２）本発明では、トータルの厚さを７ｍｍ以内としているため、手帳（２３）やノートの本文に挿
着しても図１０（Ｂ）に見るように（扁平）筆記具（２０）を装着していることをほとんど感
じない
（３）図８（Ａ）はノック式の扁平筆記具（２０）を手帳の本文に装着し状況の上面図である。また
図８（Ｂ）は右側面図である。各図からもわかるように扁平筆記具（２０）の後端部（７）は
手帳（１）の上端であるページエッジ（３０）から突出することはなく、保管上紛失したり引
っかかったりする不便さはない。
【産業上の利用可能性】
【００１８】
本発明の係止突起（３）のないクリップや極薄クリップ（１３）あるいは扁平筆記具（２０）は既存の製品の若干の仕様の変更や組み合わせで形成できるので製造上の問題はない。また使用にあたっての利便性も高く、産業上の利用可能性は大いにあるものである。
【符号の説明】
【００１９】
１    筆記具                              １６  クリップ前端部
２    表面                                １７  短辺部
３    係止突起                            １８  短辺部内縁
４    湾曲状クリップ                      １９  クリップ湾曲部外縁頂点
５    Ｌ字状クリップ                      ２０  扁平筆記具
６    棒状クリップ                        ２１  挟持部
７    後端部                              ２２  芯軸
８    固着リング                          ２３  手帳
９    固着台                              ２４  湾曲部
１０  前端開口部                          ２５  曲点
１１  キャップ                            ２６  湾曲セブンクリップ
１２  ノック部                            ２７  セブンクリップ
１３  極薄クリップ                        ２８  クリップ長辺
１４  クリップ湾曲部内縁頂点              ２９  本文
１５  リード部                            ３０  ページエッジ
【図１】
2016159516.tif 000003
【図２】
2016159516.tif 000004
【図３】
2016159516.tif 000005
【図４】
2016159516.tif 000006
【図５】
2016159516.tif 000007
【図６】
2016159516.tif 000008
【図７】
2016159516.tif 000009
【図８】
2016159516.tif 000010
【図９】
2016159516.tif 000011
【図１０】
2016159516.tif 000012
【手続補正書】
【提出日】平成28年2月26日(2016.2.26)
【手続補正１】
【補正対象書類名】明細書
【補正対象項目名】全文
【補正方法】変更
【補正の内容】
【発明の詳細な説明】
【技術分野】
【０００１】
本発明は、筆記具用クリップの形状およびクリップの取り付け構造に関するものである。
【背景技術】
【０００２】
ボールペン等の筆記具（１）には、一般には最後端部（７）にクリップが取り付けられ、ポケットや手帳等に挿着して携帯しやすいようになっている。そのクリップは筆記具の本体軸やキャップ等の筒体の最後端部（７）に取り付けられ、クリップ前端部（１６）には係止突起（３）が設けられ、筆記具（１）の表面（２）に向けて付勢されている。
【０００３】
クリップの形状としては、図１（Ａ）の斜視図で示した鉤状に湾曲した部分を有する有突起鈎型クリップ（４）（図１（Ｂ）はその右側面図）や、図２（Ａ）の斜視図で示したローマ字の「Ｌ」を逆さまにしたような形状の有突起逆Ｌ字型クリップ（５）（図２（Ｂ）はその右側面図）や図２（Ｃ）に見の右側面図に見るように形状が棒状の有突起棒状クリップ（６）、などが一般的である。
なお、以後本論においては上記のように最後端部（７）を上に置いて側面視した状態から見て各部の取り付け位置関係等を、「上、下、左、右」と記すことにする。
【０００４】
クリップの筆記具（１）への取り付け方は、例えば有突起鈎型クリップ（４）を例にすると筆記具（１）と一体形成する方法や、筆記具（１）とクリップを別々に形成し固着台（９）や固着リング（８）や開口部を有する固着リング（８１）など適当な手段を介してクリップを筆記具（１）やキャップ等に固着させるなど様々な方法がとられている。
さらに素材に関しては金属や合成樹脂を用いその弾性変形を利用したり、バネを利用したりしている。
【０００５】
さて、現状技術におけるクリップの筆記具（１）やキャップ（１１）等への取り付け構造でもある取り付け位置とクリップの構造について述べる。なお、以下においては筆記具（１）本体への取り付け構造についてのみ述べ、キャップ（１１）等については省略する。
（１）クリップの筆記具（１）への取り付け位置について。
（ア）有突起鈎型クリップ（４）においては、図１（Ａ）の斜視図や図１（Ｂ）の側面図に見るように筆記具（１）の最後端部（７）がクリップの湾曲した部分の内縁部であるクリップ内縁部頂点（１４）よりも上方にくるように取り付けられている。
（イ）有突起逆Ｌ字型クリップ（５）においても、図２（Ａ）の斜視図や図２（Ｂ）の側面図に見るように筆記具（１）の最後端部（７）がＬ字の短辺部（１７）の内側である短辺部内縁（１８）よりも上方にくるように取り付けられている。
（ウ）有突起棒状クリップ（６）においては上記（ア）でいうクリップ内縁部頂点（１４）にあたる棒のクリップ外縁頂点（１９）が図２（Ｃ）に見るように、筆記具（１）の最後端部（７）以下の位置になるように取り付けられているのが一般的である。
以後このような取り付け構造を「筆記具（１）の最後端部（７）が上になっている」という。
（２）クリップの筆記具（１）の構造としての係止突起（３）について
現状のクリップの構造を有突起鈎型クリップ（４）を例にとって述べると以下のようになる。
すなわち、有突起鈎型クリップ（４）に見るようにクリップの曲点（２５）からクリップ前端部（１６）までのクリップ長辺（２８）が筆記具（１）の表面（２）と平行もしくは略平行（以後単に「平行」という）になるように形成されている。そしてクリップ前端部（１６）には係止突起（３）が設けられて、この係止突起（３）の先端部が筆記具（１）の表面（２）と接し、クリップの弾性力を高め付勢力が付くようになっている。
【先行技術文献】
【特許文献】
【０００６】
【特許文献１】特開２００５−２３１３１７号公報
【発明の概要】
【発明が解決しようとする課題】
【０００７】
従来のクリップは筆記具の最後端部がクリップより上になるように取り付けられているため、筆記具を手帳やポケットなどに挿着した時、筆記具の最後端部が手帳やポケットから上方向に突き出てしまうため、筆記具が絡まったり落ちたりして、保管上不便であった。
筆記具は手帳等の「書くところ（書きたいページ）」にしおりのように挿して保管しておくことが望ましくベストであり、便利であるが、係止突起があるため「書きたいページ」に挿して保管しようとすると手帳等が分厚いものになってしまう欠点があった。
以上のように現状のクリップとその取り付け方法については上記のような欠点があった。
上記先行特許文献はクリップの付勢力を強める観点からの技術を主張したものであり、係止突起を有しないクリップの形状や上方に突出しない取り付け方法という取り付け構造を論じた先行技術はみあたらない。
本発明は上記のような問題点を解決しようとするものである。
【課題を解決するための手段】
【０００８】
本発明は、上記のような不便さを解決するために係止突起を有しないクリップの構造と筆記具への取り付け方についての手段を提供する。なお素材については可撓性を有するものであればよく、素材を特定するものではない。
また幅や長さ等の大きさは特定しないが、以下に述べる本発明のクリップの最大厚みは５ｍｍ以下とする。
【０００９】
手段１：無突起鈎型クリップの形成と筆記具への取り付け構造
Ｓ１−１：無突起鈎型クリップの形成
（１）可撓性のある素材で長手方向の一方をクリップ長辺、他方をリード部とし、クリップ長辺とリード部の間の適当なところを曲点とし、曲点から釣り針のような鈎型に折り曲げて無突起鈎型クリップとする。
（２）無突起鈎型クリップを右側面から見た場合、
（ア）リード部をクリップ長辺より短く形成した場合には、クリップ長辺の先端部であるクリップ前端部は仮にリード部の先端を延長したとする面に接するようになるまで折り曲げる。
また、補助具を取り付けて装着する場合は、装着する筆記具の表面に接するようになるまで折り曲げる。
（イ）一方、リード部がクリップ長辺より長くなるように形成した場合には、クリップ前端部がリード部に接するようになるまで折り曲げる。
Ｓ１−２：作用
（１）可撓性を有する素材を上記のように鈎型に形成し、リード部を筆記具に固定すると、または補助具を取り付けて固定するとクリップ長辺のクリップ前端部は筆記具の表面に対して、もしくはリード部に対して、開閉自在となり、同時に筆記具の表面もしくはリード部に付勢力を有するようになる。
（２）上記のことにより、無突起鈎型クリップを装着した筆記具は、ポケットや手帳等に挿着可能かつ着脱自在となり、一時的にホールドされる。
Ｓ１−３：無突起鈎型クリップの筆記具への取り付け方
（１）無突起鈎型クリップを筆記具に取り付けるについては、曲点の湾曲した部分の頂点の内縁部であるクリップ内縁部頂点がノック部頂点の最後端部と同位置もしくは最後端部より上に突き出る構造にして取り付ける。
（２）取り付け方法に関しては直接筆記具に取り付けてもよく、すなわち筆記具と一体形成してもよく、固着台を経由して取り付けてもよい。あるいは固着台に固着リングもしくは開口部を有する固着リングを固着させたうえで取り付けてもよい。
Ｓ１−４：：作用と効果
（１）上記Ｓ１−３の要領で取り付けた筆記具をポケットや手帳等に挿着しても筆記具の最後端が突出してポケットやノート等に引っかかったり、落下することがなくなる。
（２）また無突起鈎型クリップの最大厚みは５ｍｍ以下であるため、装着する筆記具の筐体を扁平なもの（以後「扁平筆記具」という）にすると、しおりのように手帳等の「書きたいページ」に挿着しても厚みを感じない。
【００１０】
手段２：無突起無突起逆Ｌ字型クリップの形成と筆記具への取り付け構造
Ｓ２−１：無突起逆Ｌ字型クリップの形成
（１）可撓性のある素材で長手方向の一方をクリップ長辺、他方を短辺部とし、クリップ長辺が短辺部より長くなる適当なところを曲点とし、曲点からアルファベットの「Ｌ」を上下逆さまにした形状に折り曲げて無突起逆Ｌ字型クリップとする。
（２）このとき、無突起逆Ｌ字型クリップを右側面から見た場合、クリップ長辺の先端部であるクリップ前端部は、仮に短辺部の先端を下方にクリップ前端部まで延長したとしてその延長した面面に接するようになるまで折り曲げる。また、補助具を取り付けて装着する場合は装着する筆記具の表面に接するようになるまで折り曲げる。
Ｓ２−２：作用
（１）可撓性を有する素材を上記のようにＬ字型に形成し、短辺部を筆記具に固定する、または補助具を取り付けて固定するとクリップ長辺のクリップ前端部は筆記具の表面に対して開閉自在となり、同時に筆記具の表面に付勢力を有するようになる。
（２）上記のことにより、無突起逆Ｌ字型クリップを装着した筆記具は、ポケットや手帳等に挿着可能かつ着脱自在となり、一時的にホールドされる。
Ｓ２−３：無突起逆Ｌ字型クリップの筆記具への取り付け方
（１）無突起逆Ｌ字型クリップを筆記具に取り付けるについては、短辺部の内縁部であるクリップ内縁部頂点がノック部頂点等を含めた筆記具の最後端部と同位置もしくは最後端部より上に突き出る構造にして取り付ける。
（２）取り付け方法に関しては直接筆記具に取り付けてもよく、すなわち筆記具と一体形成してもよく、固着台を経由して取り付けてもよい。あるいは固着台に固着リングもしくは開口部を有する固着リングを固着させたうえで取り付けてもよい。
Ｓ２−４：：作用と効果
作用と効果は上記Ｓ１−４と同様であるため記載を省略する。
【００１１】
手段３：無突起磁着型クリップの形成と筆記具への取り付け構造
Ｓ３−１：無突起磁着型クリップの形成
（１）長手方向に直角に可撓性のある素材を折り曲げて、一方の辺をクリップ長辺、他辺をリード部とする。
（２）さらに、クリップ長辺のリード部に接する面やリード部のクリップ長辺に接する面には磁石もしくは磁着可能な素材を貼り付けもしくは塗布し、クリップ長辺とリード部が磁着可能とした無突起磁着型クリップを形成する。
（３）なお、クリップ長辺とリード部を個々に成形し、それぞれの一端を連結材で連結し、両者が連結材を介して開閉自在になるようにして無突起磁着型クリップを形成してもよい。
（４）なお、クリップ長辺やリード部を可撓性のある磁着可能な素材で上記（１）や（２）のように形成して無突起磁着型クリップをとしてもよい。
Ｓ３−２：無突起磁着型クリップの作用
リード部を筆記具等に固定するとクリップ長辺は開閉自在となり、磁着力によりポケットや手帳等に挿着可能かつ着脱自在となり、一時的にホールドされる。
Ｓ３−３：無突起磁着型クリップの筆記具等への取り付け方
無突起磁着型クリップを筆記具等に取り付けるについては、折り曲げたクリップ外縁部頂点の内側にあたるクリップ内縁部頂点がノック部頂点等を含めた筆記具等の最後端部と同位置もしくは最後端部より上に突き出る構造にして取り付ける。
Ｓ３−４：作用と効果
作用と効果は上記Ｓ１−４と同様であるため記載を省略する。
【００１２】
手段４：無突起ゼムピン型クリップの形成と筆記具への取り付け構造
Ｓ４−１  ：無突起ゼムピン型クリップの形成
（１）正面視した縦長で変形渦巻き状に形成され市販のゼムクリップの左外側の直線部分を第一直線部、右外側の直線部分を第二直線部、第二直線部の内側で第二直線部に接する直線部分を第三直線部、第一直線部の内側で第一直線部に接する直線部分を第四直線部とし、さらに第一直線部と第二直線部を連結する曲線部分を第一湾曲部、第三直線部と第四直線部を連結する曲線部分を第二湾曲部、第一直線部と第三直線部を連結する直線部分を第五直線部とする。（なお、第一直線部と第三直線部は湾曲状に連結されている場合はこの湾曲部分を第三湾曲部とする。）本稿では直線で連結されているものとする。
（２）なお、上記ゼムクリップはプラスチックで成形されていてもよく針金状の金属で成形されていてもよく、素材は特定しない。
（３）上記のゼムクリップの第一および第二直線部が作る面と第三および第四直線が作る面との間にリード板を挿着し、もしくは挿着して固着し無突起ゼムピン型クリップを形成する。
Ｓ４−２：無突起ゼムピン型クリップの作用
無突起ゼムピン型クリップではリード板と、第三直線と第四直線で作られる面（以後挟持面という）とには第五直線部を支点として挟持力が生じるので、リード板と挟持面の間に手帳等が着脱自在に挿着可能となり、一時的にホールドされる
Ｓ４−３：無突起ゼムピン型クリップの筆記具への取り付け方
無突起ゼムピン型クリップを筆記具に取り付けるについては、第五直線部がノック部頂点等を含めた筆記具等の最後端部と同位置もしくは最後端部より上に突き出る構造にして取り付ける。
Ｓ４−４：：作用と効果
作用と効果は上記Ｓ１−４と同様であるため記載を省略する。
【発明の効果】
【００１３】
従来のクリップは係止突起（３）を有しているため従来の筆記具（１）本体とクリップを合わせると分厚いものになり、手帳（２３）やノートブック（以後「手帳（２３）等」という）などには挿着しづらかった。
ＨＫ−１：本発明により、無突起鈎型クリップ（１３／１３１）や無突起磁着型クリップ（３１／３１１）において、クリップ内縁部頂点（１４）あるいは短辺内縁部（１８）、あるいは第五直線部（４２）が従来の筆記具（１）の最後端部（７）と同一、あるいは最後端部（７）より上になる構造にしてクリップを筆記具（１）に取り付けたため、例えば筆記具（１）をポケットに挿着した場合、筆記具（１）の最後端部（７）はポケットの内部に収まる。すなわち筆記具（１）の最後端部（７）がポケットから上方向に突き出なくなるため、筆記具（１）が絡まったり落ちたりする従来の保管上の不便さが解消される。
ＨＫ−２：また、筐体が扁平（薄い）な筆記具に本発明のクリップを装着した筆記具（以後「扁平筆記具（２０）」という）を手帳（２３）やノートブックなどに挿着する場合においては特に以下のような効果がある。
（１）従来手帳（２３）等に従来の筆記具（１）を挿着して保管する場合は、手帳（２３）等の「書きたいページ（２６）」とは別のところに保管していた。その理由は図１０（Ａ）に示すように手帳（２３）等の厚みが保管に耐えられないくらい厚くなって保管に耐え得なくなってしまうからである。
（２）そのため、手帳（２３）等に筆記する必要が生じた場合には、筆記具（１）を取り出し、「書きたいページ（２６）」を開き筆記する、という手間のかかる動作が必要であった。
（３）本発明では、本発明のクリップを装着した扁平筆記具（２０）の厚さはごく薄いので、手帳（２３）の「書きたいページ（２６）」に挿着しても図１０（Ｂ）に見るように扁平筆記具（２０）を挿着していることをほとんど感じない。
（４）そのため「書きたいページ（２６）」に扁平筆記具（２０）を挿着して保管できるので、筆記する必要が生じた場合には、「書きたいページ（２６）」に挿着していた扁平筆記具（２０）を瞬時に取り出せ筆記ができる、という便利さを享受できる。
（３  ）図９（Ａ）はノック式の扁平筆記具（２０）を手帳（２３）に装着し状況の正面図である。また図９（Ｂ）は右側面図である。各図からもわかるように扁平筆記具（２０）の最後端部（７）は手帳（２３）の上端であるページエッジ（３０）から突出することはなく、保管上紛失したり引っかかったりする不便さはない。
【図面の簡単な説明】
【００１４】
【図１】従来の有突起鈎型クリップの形状と取り付け位置を示す図で、（Ａ）は斜視図、（Ｂ）は右側面図。
【図２】有突起逆Ｌ字型クリップの従来の形状と取り付け位置を示す図で、（Ａ）は斜視図、（Ｂ）は右側面図。
【図３】本発明の一部を示す無突起鈎型クリップを示す図で、（Ａ）はリード部の短い無突起鈎型クリップの斜視図で、（Ｂ）はその右側面図、（Ｃ）はリード部の長い無突起鈎型クリップの斜視図で、（Ｄ）はその右側面図。
【図４】本発明の一部を示す無突起鈎型クリップを筆記具に装着するために、（Ａ）は固着台をリード部に取り付けた状況を示す斜視図で、（Ｂ）は図（Ａ）の右側面図で、（Ｃ）は固着リングをリード部に取り付けた状況を示す斜視図で、（Ｄ）開口部を有する固着リングをリード部に取り付けた状況を示す斜視図。
【図５】本発明の一部を示す無突起鈎型クリップを筆記具に装着した状況を示す（Ａ）は斜視図で、（Ｂ）は右側面図。
【図６】固着台を設けた本発明の一部を示す無突起鈎型クリップを、（Ａ）は固着台を用いて筆記具に装着した状況を示す、（Ｂ）は固着台を用いてキャップに装着した状況を示す、（Ｃ）固着リングを用いてノック部頂点に装着した状況を示す、それぞれの右断面。
【図７】図（Ａ）は本発明の一部を示す無突起逆Ｌ字型クリップを示す斜視図で、（Ｂ）はその無突起逆Ｌ字型クリップに固着台を取り付けた状況を示す斜視図。
【図８】図（Ａ）は固着台を取り付けた本発明の一部を示す無突起逆Ｌ字型クリップを筆記具に装着した状況を示す斜視図で、図（Ｂ）はその右側面図。
【図９】固着台を取り付けた本発明の一部を示す無突起逆Ｌ字型クリップを  図（Ａ）は筆記具のキャップに装着した状況を示す右断面図で、図（Ｂ）は本発明の一部を示す無突起逆Ｌ字型クリップに固着リングを取り付けて筆記具のノック部頂点に装着した状況を示す右断面図。
【図１０】図（Ａ）はリード部とクリップ長辺を一体形成した本発明の一部を示す無突起磁着型クリップを示す右断面図で、図（Ｂ）はリード部とクリップ長辺を連結材で連結した本発明の一部を示す無突起磁着型クリップを示す右断面図。
【図１１】図（Ａ）は市販されているゼムクリップを示す正面図で、図（Ｂ）はその右断面図で、図（Ｃ）は本発明の一部を示すゼムピン型クリップを示す正面図で、図（Ｄ）はその右側面図。
【図１２】本発明の一部を示す無突起鈎型クリップをノック式扁平筆記具に装着した状況を示す図で、（Ａ）は斜視図で、（Ｂ）は右側面断面図。
【図１３】図（Ａ）は本発明の一部を示す無突起磁着型クリップを、図（Ｂ）は本発明の一部を示すゼムピン型クリップ、それぞれノック式扁平筆記具に装着した状況を示す斜視図。
【図１４】本発明の一部を示す無突起鈎型クリップを手帳の書きたいページに挿着した状況を示す図で、（Ａ）は正面図で、（Ｂ）は右側面図。
【図１５】手帳の書きたいページに、図（Ａ）は従来の有突起付鈎型クリップを、図（Ｂ）は本発明の一部を示す無突起鈎型クリップを、それぞれ挿着した状況を手帳の上から見た図。
【発明を実施するための形態】
【００１５】
本発明を実施する具体的方法を以下に述べる。
【実施例１】
【００１６】
Ｊ１：無突起鈎型クリップ（１３）の形成と筆記具（１）への取り付け構造
Ｊ１−１：無突起鈎型クリップ（１３／１３１）の形成
（１）図３（Ａ）や図３（Ｃ）の斜視図に見るように、可撓性のある素材で長手方向の一方をクリップ長辺（２８）、他方をリード部（１５）とし、クリップ長辺（２８）とリード部（１５）の間の適当なところを曲点（２５）とし、曲点から釣り針のような鈎型に折り曲げて無突起鈎型クリップ（１３／１３１）とする。
（２）無突起鈎型クリップを右側面から見た場合、
（ア）図３（Ｂ）に示すように、リード部（１５）をクリップ長辺（２８）より短く形成した場合には、クリップ長辺（２８）の先端部であるクリップ前端部（１６）は仮にリード部の先端を延長したとする面に接するようになるまで折り曲げる。
また、補助具を取り付けて装着する場合は、図４（Ａ）の斜視図や図４（Ｂ）の側面図に見るように、装着する筆記具（１）の表面（点線で表示）に接するようになるまで折り曲げる。
（イ）一方、図３（Ｃ）に見るようにリード部（１５）がクリップ長辺（２８）より長くなるように形成した場合には、クリップ前端部（１６）がリード部（１５）に接するようになるまで折り曲げる。
Ｊ１−２：作用
（１）可撓性を有する素材を上記のように鈎型に形成し、リード部（１５）を筆記具（１）に固定すると、または固着台（７）等の補助具を取り付けて固定するとクリップ長辺（２８）のクリップ前端部（１６）は筆記具（１）の表面に対して、もしくはリード部（１５）に対して、開閉自在となり、同時に筆記具（１）の表面もしくはリード部（１５）に付勢力を有するようになる。
（２）上記のことにより、無突起鈎型クリップ（１３／１３１）を装着した筆記具（１）は、ポケットや手帳（２３）等に挿着可能かつ着脱自在となり、一時的にホールドされる。
Ｊ１−３：無突起鈎型クリップ（１３／１３１）の筆記具（１）への取り付け方
（１）図５（Ａ）の斜視図や図５（Ｂ）の右側面図に見るように、無突起鈎型クリップ（１３／１３１）を筆記具（１）に取り付ける際には、曲点（２５）の湾曲した部分で、その頂点の内縁部であるクリップ内縁部頂点（１４）がノック部頂点（１２）等を含めた筆記具（１）の最後端部（７）と同位置もしくは最後端部（７）より上に突き出る構造にして取り付ける。
（２）図１２はリード部（１５）がクリップ長辺（２８）より長い無突起鈎型クリップ（１３／１３１）をノック式でペンを前端開口部（１０）から出し入れする形式の扁平筆記具（２０）に取り付けた状況を示す斜視図とその右側面図である。ここでは筆記具の最後端部（７）はノック部頂点（１２）になるが、このノック部頂点（１２）より上に突き出る構造にして取り付ける。
（３）取り付け方法に関しては図５に見るように直接筆記具（１）に取り付けてもよく、すなわち筆記具（１）と一体形成してもよく、図６（Ａ）に見るように固着台（７）を経由して取り付けてもよい。あるいは図６（Ｃ）に見るように固着台（９）に固着リング（８）もしくは開口部を有する固着リング（８１）を固着させたうえで取り付けてもよく、その取り付け方法を特定するものではない。なお図６（Ｃ）は筆記具のキャップ（１１）に固着台を経由して無突起鈎型クリップ（１３／１３１）を取り付けた状況を示す図である。
Ｊ１−４：：作用と効果
（１）上記Ｊ１−３の要領で取り付けた筆記具（１）をポケットや手帳（２３）等に挿着しても筆記具（１）の後端が突出してポケットやノート等に引っかかったり、落下することがなくなる。
（２）具体的にその状況を図１４で説明する。図１４は無突起鈎型クリップ（１３）を取り付けた扁平筆記具（２０）を手帳（２３）の書きたいページ（２６）に挿着した状況を示しているが、図（Ａ）は正面図で、図（Ｂ）は右側面図である。これらの図からもわかるように扁平筆記具（２０）の上端は手帳の上端（２４）より上に突出していないので扁平筆記具（２０）がポケット等に引っかかったり、落下することがなくなる。
（３）また、クリップには係止突起（３）が無く厚さも５ｍｍ以内であるため、扁平筆記具（２０）を挿着した手帳（２３）全体としても図１５（Ｂ）に見るように分厚くならない。
（４）さらに、扁平筆記具（２０）はしおりのように書きたいページ（２６）に挿着しても手帳（２３）全体の分厚さを感じないうえ、従来のように、まず手帳（２３）から筆記具（１）を手に取り次に書きたいページ（２６）を開くという煩わしい手間をかける必要もなく、「書きたいところにペンがある」という便利さを享受できる。
【実施例２】
【００１７】
Ｊ２：無突起無突起逆Ｌ字型クリップ（２７）の形成と筆記具（１）への取り付け構造
Ｊ２−１：無突起逆Ｌ字型クリップ（２７）の形成
（１）図７（Ａ）に見るように、可撓性のある素材で長手方向の一方をクリップ長辺（２８）、他方を短辺部（１７）とし、クリップ長辺（２８）が短辺部（１７）より長くなる適当なところを曲点（２５）とし、曲点（２５）からアルファベットの「Ｌ」を上下逆さまにした形状に折り曲げて無突起逆Ｌ字型クリップ（２７）とする。
（２）折り曲げ方については上記Ｊ１−１−（２）で述べたと同様にして折り曲げる。
Ｊ２−２：作用
作用については上記Ｊ１−２の作用で述べたと同一であるため省略する。
Ｊ２−３：無突起逆Ｌ字型クリップ（２７）の筆記具（１）への取り付け方
（１）図８や図９は無突起無突起逆Ｌ字型クリップ（２７）を筆記具（１）に固着台（９）を経由して取り付けた状況を示す斜視図とその右側面図である。また図９（Ａ）は筆記具（１）のキャップ（１１）に図（Ｂ）はノック式の筆記具（１）のノック部頂点（１２）に取り付けた状況を示す側面図である。
（２）無突起逆Ｌ字型クリップ（２７）を筆記具（１）に取り付けるについては、短辺部（１７）の内縁部であるクリップ内縁部頂点（１４）がノック部頂点（１２）等を含めた筆記具（１）の最後端部（７）と同位置もしくは最後端部（７）より上に突き出る構造にして取り付ける。
（２）取り付け方法に関しては直接筆記具（１）に取り付けてもよく、すなわち筆記具（１）と一体形成してもよく、固着台（９）を経由して取り付けてもよい。あるいは固着台（９）に固着リング（８）もしくは開口部を有する固着リング（８１）を固着させたうえで取り付けてもよい。
Ｊ２−４：：作用と効果
作用と効果は上記Ｊ１−４と同様であるため記載を省略する。
【実施例３】
【００１８】
Ｊ３：無突起磁着型クリップ（３１）の形成と筆記具（１）への取り付け構造
Ｊ３−１：無突起磁着型クリップ（３１）の形成
（１）図１０（Ａ）の側面図に示すように、長手方向に直角に可撓性のある素材を折り曲げて、一方の辺をクリップ長辺（２８）、他辺をリード部（１５）とする。
（２）さらに、クリップ長辺（２８）のリード部（１５）に接する面やリード部（１５）のクリップ長辺（２８）に接する面には磁石もしくは磁着可能な素材を貼り付けもしくは塗布し、クリップ長辺（２８）とリード部（１５）が磁着可能とした無突起磁着型クリップ（３１／３１１）を形成する。
（３）クリップ長辺（２８）とリード部（１５）を個々に成形し、それぞれの一端を連結材（３４）で連結し、両者が連結材（３４）を介して開閉自在になるようにして上記の要領で無突起磁着型クリップ（３１／３１１）を形成してもよい。
（４）なお、クリップ長辺（２８）やリード部（１５）を可撓性のある磁着可能な素材で上記（１）や（２）のように形成して無突起磁着型クリップ（３１／３１１）としてもよい。
Ｊ３−２：無突起磁着型クリップ（３１／３１１）の作用
リード部（１５）を筆記具（１）等に固定するとクリップ長辺（２８）は開閉自在となり、磁着力によりポケットや手帳等に挿着可能かつ着脱自在となり、一時的にホールドされる。
Ｊ３−３：無突起磁着型クリップ（３１／３１１）の筆記具（１）等への取り付け方
無突起磁着型クリップ（３１／３１１）を筆記具（１）等に取り付けるについては、折り曲げたクリップ外縁部頂点の内側にあたるクリップ内縁部頂点がノック部頂点等を含めた筆記具（１）等の最後端部（７）と同位置もしくは最後端部（７）より上に突き出る構造にして取り付ける。
Ｊ３−４：：作用と効果
作用と効果は上記Ｊ１−４と同様であるため記載を省略する。
【実施例４】
【００１９】
Ｊ４：無突起ゼムピン型クリップ（４３）の形成と筆記具（１）への取り付け構造
Ｊ４−１  ：無突起ゼムピン型クリップ（４３）の形成
（１）図１１（Ａ）に見るように、正面視した縦長で変形渦巻き状に形成され市販のゼムクリップ（３５）の左外側の直線部分を第一直線部（３８）、右外側の直線部分を第二直線部（３９）、第二直線部（３９）の内側で第二直線部（３９）に接する直線部分を第三直線部（４０）、第一直線部（３８）の内側で第一直線部（３８）に接する直線部分を第四直線部（４１）とし、さらに第一直線部（３８）と第二直線部（３９）を連結する曲線部分を第一湾曲部（３６）、第三直線部（４０）と第四直線部（４１）を連結する曲線部分を第二湾曲部（３７）、第一直線部（３８）と第三直線部（４０）部分を連結する直線部分を第五直線部（４２）とする。（なお、第一直線部（３８）と第三直線部部（４０）は湾曲状に連結されている場合はこの湾曲部分を第三湾曲部とする。）本稿では直線で連結されているものとする。
（２）なお、上記ゼムクリップ（３５）はプラスチックで成形されていてもよく針金状の金属で成形されていてもよく、素材は特定しない。
（３）図１２（Ｃ）の正面図や図１２（Ｄ）の側面図に見るように、上記のゼムクリップ（３５）の第一および第二直線部が作る面と第三および第四直線部が作る面との間にリード板（４４）を挿着し、もしくは挿着して固着し無突起ゼムピン型クリップ（４３）を形成する。
Ｊ４−２：無突起ゼムピン型クリップ（４３）の作用
無突起ゼムピン型クリップ（４３）ではリード板（４４）と、第三直線（４０）と第四直線（４１）で作られる面（以後挟持面という）とには第五直線部（４２）を支点として挟持力が生じるので、リード板（４４）と挟持面の間に手帳（１）等が着脱自在に挿着可能となり、一時的にホールドされる
Ｊ４−３：無突起ゼムピン型クリップ（４３）の筆記具（１）への取り付け方
無突起ゼムピン型クリップ（４３）を筆記具（１）に取り付けるについては、第五直線部（４２）がノック部頂点（１２）等を含めた筆記具（１）等の最後端部（７）と同位置もしくは最後端部（７）より上に突き出る構造にして取り付ける。
Ｊ４−４：：作用と効果
作用と効果は上記Ｊ１−４と同様であるため記載を省略する。
【産業上の利用可能性】
【００２０】
従来、手帳（２３）等に筆記具（１）を挿着する手段として係止突起（３）付のクリップを筆記具（１）に取り付けていたが、本発明は係止突起（３）を有しないクリップを形成して筆記具等に取り付けようとするものである。係止突起を有しないクリップの形成は容易であり製造上の問題はない。また使用にあたっての利便性も高く、産業上の利用可能性は大いにあるものである。
【符号の説明】
【００２１】
１    筆記具  
２    表面    
３    係止突起  
４    有突起鈎型クリップ  
５    有突起逆Ｌ字型クリップ  
６    有突起棒状クリップ    
７    最後端部        
８    固着リング    
８１  固着リング
９    固着台      
１０  前端開口部  
１１  キャップ  
１２  ノック部頂点
１３  無突起鈎型クリップ  
１３１無突起鈎型クリップ  
１４  クリップ内縁部頂点  
１５  リード部    
１６  クリップ前端部
１７  短辺部
１８  短辺部内縁
１９  クリップ外縁部頂点
２０  扁平筆記具
２１  挟持部
２２  芯軸
２３  手帳
２４  手帳上端
２５  曲点
２６  書きたいページ
２７  無突起逆Ｌ字型クリップ
２８  クリップ長辺
２９  手帳のページ
３０  ページエッジ
３１  無突起磁着型クリップ
３１１無突起磁着型クリップ
３２  磁着材
３３  磁石
３４  連結材
３５  ゼムクリップ
３６  第一湾曲部
３７  第二湾曲部
３８  第一直線部
３９  第二直線部
４０  第三直線部
４１  第四直線部
４２  第五直線部
４３  ゼムピン型クリップ
４４  リード板
【手続補正３】
【補正対象書類名】図面
【補正対象項目名】全図
【補正方法】変更
【補正の内容】
【図１】
2016159516.tif 000013
【図２】
2016159516.tif 000014
【図３】
2016159516.tif 000015
【図４】
2016159516.tif 000016
【図５】
2016159516.tif 000017
【図６】
2016159516.tif 000018
【図７】
2016159516.tif 000019
【図８】
2016159516.tif 000020
【図９】
2016159516.tif 000021
【図１０】
2016159516.tif 000022
【図１１】
2016159516.tif 000023
【図１２】
2016159516.tif 000024
【図１３】
2016159516.tif 000025
【図１４】
2016159516.tif 000026
【図１５】
2016159516.tif 000027